(57)【要約】【課題】  室内の換気と湿度調節とを行う調湿装置において、室内空気の湿度が目標値に達するまでの時間を短縮して調湿能力を向上させる。【解決手段】  調湿装置のケーシング（10）では、室内側吸込口（15）の近傍に室内空気（RA）の相対湿度を検出するための湿度センサ（2）が設けられる。調湿装置の加湿動作において、起動時に第２空気の室内への供給量を第１空気の室外への排出量よりも多く設定する起動運転が行われる。このため、起動運転中には、室内の圧力が室外の圧力よりも高くなり、室外から室内への室外空気（OA）の流入が防止される。一方、起動運転中に湿度センサ（2）の検出値が所定の基準値に達すると、起動運転から通常運転へと切り換わる。通常運転では、第２空気の室内への供給量と第１空気の室外への排出量とが等しく設定される。【選択図】  図１
2005134060.tif 000002
【特許請求の範囲】
【請求項１】
室外空気を室内へ供給するための給気ファン（96）と、室内空気を室外へ排出するための排気ファン（95）と、室内へ供給される空気の湿度を調節する調湿手段（1）とを備え、室内の換気と湿度調節とを行う調湿装置であって、
起動時には給気量を排気量よりも多く設定する起動運転を行い、該起動運転中に所定の基準条件が成立すると給気量と排気量とを等しく設定する通常運転に切り換わる調湿装置。
【請求項２】
請求項１に記載の調湿装置において、
室内空気の湿度を検出する湿度検出手段（2）が設けられ、
上記湿度検出手段（2）の検出値が所定の基準値に達することが基準条件となっている調湿装置。
【請求項３】
請求項１に記載の調湿装置において、
室内空気の温度を検出する温度検出手段が設けられ、
上記温度検出手段の検出値が所定の基準値に達することが基準条件となっている調湿装置。
【請求項４】
請求項１に記載の調湿装置において、
起動時からの経過時間を計測するタイマーが設けられ、
上記タイマーの計測値が所定の基準値に達することが基準条件となっている調湿装置。
【請求項５】
請求項１乃至４の何れか１つに記載の調湿装置において、
調湿手段（1）は、空気中の水分を吸脱着させるための吸着素子（81,82）を備え、上記吸着素子（81,82）に空気中の水分を吸着させて室内へ供給される空気を除湿し、又は上記吸着素子（81,82）から脱離した水分で室内へ供給される空気を加湿するように構成されている調湿装置。
【発明の詳細な説明】
【技術分野】
【０００１】
本発明は、空気の換気と湿度調節とを行う調湿装置に関するものである。
【背景技術】
【０００２】
従来より、特許文献１に開示されているように、室内の換気と湿度調節とを行う調湿装置が知られている。この調湿装置は、室外空気と室内空気の流通経路を切り換えることにより、２つの吸着素子を交互に用いて室内へ供給する空気の除湿又は加湿を行うものである。
【０００３】
除湿動作時には、ケーシング内に取り込まれた室外空気中の水分が一方の吸着素子に吸着される。除湿された空気は、冷却熱交換器を通過する間に冷却され、室内へ供給される。一方、ケーシング内に取り込まれた室内空気は、一方の吸着素子で発生する吸着熱を吸熱した後に再生熱交換器で加熱され、他方の吸着素子を再生した後に室外へ排出される。
【０００４】
加湿動作時には、ケーシング内に取り込まれた室内空気中の水分が一方の吸着素子に吸着される。水分を奪われた空気は、冷却熱交換器を通過する間に冷却され、室外へ排出される。一方、ケーシング内に取り込まれた室外空気は、一方の吸着素子で発生する吸着熱を吸熱した後に再生熱交換器で加熱され、他方の吸着素子を再生した後に室内へ供給される。
【特許文献１】特開２００３−１３９３４９号公報
【発明の開示】
【発明が解決しようとする課題】
【０００５】
ところで、上記調湿装置のような室内の換気と湿度調節とを行う調湿装置では、ケーシング内に取り込まれる室内空気の流量と室外空気の流量とが等しく設定されている。つまり、調湿装置では、室内から取り込まれて室外へ排出される空気の流量と室外から取り込まれて室内へ供給される空気の流量とが等しくなっている。
【０００６】
ここで、建物の室内と室外とを仕切る壁には、ドア等が設けられている。一般にドアとその取付枠との間には隙間が存在するため、この隙間を通じて室外空気が室内へ流入する。そして、調湿装置の起動時において、冬季の加湿時に室内へ低湿の室外空気が流入すると、または夏季の除湿時に室内へ高湿の室外空気が流入すると、室内空気の相対湿度が目標値に達するまでに長い時間を要するという問題があった。
【０００７】
本発明は、かかる点に鑑みてなされたものであり、その目的とするところは、室内の換気と湿度調節とを行う調湿装置において、室内空気の湿度が目標値に達するまでの時間を短縮して調湿能力を向上させることにある。
【課題を解決するための手段】
【０００８】
第１の発明は、室外空気を室内へ供給するための給気ファン（96）と、室内空気を室外へ排出するための排気ファン（95）と、室内へ供給される空気の湿度を調節する調湿手段（1）とを備え、室内の換気と湿度調節とを行う調湿装置を対象としている。そして、起動時には給気量を排気量よりも多く設定する起動運転を行い、該起動運転中に所定の基準条件が成立すると給気量と排気量とを等しく設定する通常運転に切り換わるものである。
【０００９】
第２の発明は、第１の発明において、室内空気の湿度を検出する湿度検出手段（2）が設けられ、上記湿度検出手段（2）の検出値が所定の基準値に達することが基準条件となっているものである。
【００１０】
第３の発明は、第１の発明において、室内空気の温度を検出する温度検出手段が設けられ、上記温度検出手段の検出値が所定の基準値に達することが基準条件となっているものである。
【００１１】
第４の発明は、第１の発明において、起動時からの経過時間を計測するタイマーが設けられ、上記タイマーの計測値が所定の基準値に達することが基準条件となっているものである。
【００１２】
第５の発明は、第１乃至第４の何れか１つの発明において、調湿手段（1）は、空気中の水分を吸脱着させるための吸着素子（81,82）を備え、上記吸着素子（81,82）に空気中の水分を吸着させて室内へ供給される空気を除湿し、又は上記吸着素子（81,82）から脱離した水分で室内へ供給される空気を加湿するように構成されているものである。
【００１３】
−作用−
上記第１の発明では、調湿装置に給気ファン（96）と排気ファン（95）と調湿手段（1）とが設けられる。調湿装置は、給気ファン（96）を駆動して取り込まれた室外空気を室内へ供給して排気ファン（95）を駆動して取り込まれた室内空気を室外へ排出して室内の換気を行う一方、調湿手段（1）で湿度調節された空気を室内へ供給する。
【００１４】
この発明において、調湿装置では起動運転と通常運転とが切り換えて行われる。調湿装置の起動時には、起動運転が行われる。起動運転では、室外空気の室内への供給量（給気量）が室内空気の室外への排出量（排気量）よりも多く設定される。つまり、起動運転中には、室内から取り込まれて室外に排出される空気の流量よりも室外から取り込まれて室内へ供給される空気の流量の方が多く設定されており、室内の圧力は室外の圧力よりも高くなっている。起動運転中に所定の基準条件が成立すると、起動運転から通常運転へと切り換わる。通常運転では、室外空気の室内への供給量と室内空気の室外への排出量とが等しく設定される。
【００１５】
上記第２の発明では、調湿装置に湿度検出手段（2）が設けられる。この発明における基準条件は、湿度検出手段（2）の検出値が所定の基準値に達することによって満たされる。調湿装置の運転中には、湿度検出手段（2）によって室内空気の湿度が検出される。そして、湿度検出手段（2）の検出値が所定の基準値に達すると、起動運転から通常運転へと切り換わる。
【００１６】
上記第３の発明では、調湿装置に温度検出手段が設けられる。この発明における基準条件は、温度検出手段の検出値が所定の基準値に達することによって満たされる。調湿装置の運転中には、温度検出手段によって室内空気の温度が検出され、温度検出手段の検出値が所定の基準値に達すると起動運転から通常運転へと切り換わる。
【００１７】
ここで、例えば冬季において、室外空気の温度は変動してもその相対湿度は概ね一定となる。従って、室外空気の温度が低いとその絶対湿度も低く、室内へ供給される空気の絶対湿度が低くなる。そして、室外空気の温度が低いことから室内空気の温度は緩やかにしか上昇せず、室内へ供給される空気の絶対湿度が低いことから室内空気の相対湿度も緩やかにしか上昇してゆかない。一方、室外空気の温度が高いとその絶対湿度も高く、室内へ供給される空気の絶対湿度が高くなる。そして、室外空気の温度が高いことから室内空気の温度は速やかに上昇し、室内へ供給される空気の絶対湿度が高いことから室内空気の相対湿度も速やかに上昇してゆく。
【００１８】
このように、室内空気の温度の上昇速度が高ければその相対湿度の上昇速度も高くなり、逆に室内空気の温度の上昇速度が低ければその相対湿度の上昇速度も低くなる。つまり、室内空気の温度と相対湿度には相関関係があり、両者は連動して変化する。よって、温度検出手段の検出値から室内空気の相対湿度を推測できる。そこで、この発明では、温度検出手段の検出値が所定の基準値に達したところで室内空気の相対湿度が目標値に達したと判断し、起動運転から通常運転への切り換えを行う。
【００１９】
上記第４の発明では、調湿装置にタイマーが設けられる。この発明における基準条件は、タイマーによって計測される起動時からの経過時間が所定の基準値に達することによって満たされる。調湿装置の運転中には、タイマーによって起動時からの経過時間が検出され、タイマーの計測値が所定の基準値に達すると起動運転から通常運転へと切り換わる。
【００２０】
ここで、予め様々な運転条件で試験を行って調湿装置の起動時から室内空気の相対湿度が目標値に達するまでの経過時間を計測しておけば、その試験で得られたデータに基づき、室内空気の相対湿度が目標値に達すると予想される起動時からの経過時間を基準値として設定できる。そこで、この発明では、タイマーの計測値が所定の基準値に達すると、室内空気の相対湿度が目標値に達したと判断し、起動運転から通常運転への切り換えを行う。
【００２１】
上記第５の発明では、調湿手段（1）に吸着素子（81,82）が設けられる。調湿装置の調湿手段（1）は、空気中の水分を吸着素子（81,82）に吸着させて室内へ供給される空気を除湿する動作を行う。または、調湿装置の調湿手段（1）は、吸着素子（81,82）から脱離した水分により室内へ供給される空気を加湿する動作を行う。或いは、調湿装置の調湿手段（1）は、吸着素子（81,82）により除湿された空気を室内へ供給する動作と加湿された空気を室内へ供給する動作とを切り換えて行う。
【発明の効果】
【００２２】
本発明では、起動時に起動運転を行い、調湿手段（1）で湿度調節された後に室内へ供給される空気の流量が室内から室外へ排出される空気の流量よりも多く設定される。このため、調湿装置の起動運転中には、室内の圧力を室外の圧力よりも高くすることができ、室外から室内への室外空気の流入を防止することができる。従って、本発明によれば、室内の換気と湿度調節とを行う調湿装置において、室内空気の湿度が目標値に達するまでの時間を短縮して調湿能力を向上させることができる。
【００２３】
上記第２の発明では、室内空気の湿度を検出する湿度検出手段（2）の検出値が所定の基準値に達すると、起動運転から通常運転へと切り換わる。従って、この発明によれば、湿度検出手段（2）によって精度良く室内の湿度調節を行うことができ、室内の快適性を保持することができる。
【００２４】
上記第３の発明では、室内空気の温度を検出する温度検出手段の検出値が所定の基準値に達すると、起動運転から通常運転へと切り換わる。上述のように、室内空気の温度と相対湿度には相関関係があるため、温度検出手段の検出値によって室内空気の相対湿度を推測することができる。従って、この発明によれば、起動運転から通常運転へ切り換えるか否かの判断に温度検出手段を利用することができる。
【００２５】
上記第４の発明では、起動時からの経過時間を計測するタイマーの計測値が所定の基準値に達すると、起動運転から通常運転へと切り換わる。上述のように、予め試験を行って室内空気の相対湿度が目標値に達すると予想される起動時からの経過時間を基準値として設定すれば、タイマーの計測値によって室内空気の相対湿度を推測することができる。従って、この発明によれば、起動運転から通常運転へ切り換えるか否かの判断にタイマーを利用することができる。
【発明を実施するための最良の形態】
【００２６】
以下、本発明の実施形態を図面に基づいて詳細に説明する。
【００２７】
《発明の実施形態１》
本実施形態に係る調湿装置は、減湿された空気を室内へ供給する除湿動作と、加湿された空気を室内へ供給する加湿動作とを切り換えて行うように構成されている。また、この調湿装置は、冷媒回路と２つの吸着素子（81,82）とを備え、いわゆるバッチ式の動作を行うように構成されている。ここでは、本実施形態に係る調湿装置の構成について、図１を参照しながら説明する。尚、本実施形態１の説明において、「上」「下」「左」「右」「前」「後」「手前」「奥」は、特にことわらない限り、図１に示す調湿装置を正面側から見た場合のものを意味している。
【００２８】
図１に示すように、上記調湿装置は、高さの低い扁平な直方体状のケーシング（10）を備えている。ケーシング（10）には、２つの吸着素子（81,82）と冷媒回路とが収納されている。この２つの吸着素子（81,82）は、調湿手段（1）に設けられている。また、調湿手段（1）は、吸着素子（81,82）を用いて室内へ供給される空気を除湿し又は加湿する動作を行う。尚、図１において、（Ａ）は左側面図、（Ｂ）は平面図、（Ｃ）は右側面図を示す。この点は、図２〜４においても同様である。
【００２９】
上記冷媒回路には、加熱用熱交換器（102）、第１熱源用熱交換器（103）、第２熱源用熱交換器（104）、圧縮機（101）および膨張弁が設けられている。尚、図１では、加熱用熱交換器（102）、第１熱源用熱交換器（103）、第２熱源用熱交換器（104）および圧縮機（101）だけを図示している。この冷媒回路では、充填された冷媒を循環させることによって冷凍サイクルが行われる。また、本実施形態の調湿装置では、第１熱源用熱交換器（103）が蒸発器となる動作と、第２熱源用熱交換器（104）が蒸発器となる動作とが切り換えて行われる。
【００３０】
図５に示すように、上記吸着素子（81,82）は、平板状の平板部材（83）と波形状の波板部材（84）とを交互に積層して構成されている。波板部材（84）は、隣接する波板部材（84）の稜線方向が互いに９０度ずれる姿勢で積層されている。そして、吸着素子（81,82）は、全体として直方体状ないし四角柱状に形成されている。
【００３１】
上記吸着素子（81,82）には、平板部材（83）および波板部材（84）の積層方向において、調湿側通路（85）と冷却側通路（86）とが平板部材（83）を挟んで交互に区画形成されている。この吸着素子（81,82）において、平板部材（83）の長辺側の側面に調湿側通路（85）が開口し、平板部材（83）の短辺側の側面に冷却側通路（86）が開口している。
【００３２】
上記吸着素子（81,82）において、調湿側通路（85）に臨む平板部材（83）の表面や、調湿側通路（85）に設けられた波板部材（84）の表面には、水分を吸着するための吸着剤が塗布されている。この種の吸着剤としては、例えばシリカゲル、ゼオライト、イオン交換樹脂等が挙げられる。
【００３３】
図１に示すように、上記ケーシング（10）において、最も手前側には第１パネル（11）が設けられ、最も奥側には第２パネル（12）が設けられている。これら第１，第２パネル（11,12）は、ケーシング（10）の手前側および奥側の側面を構成している。また、ケーシング（10）において、第１パネル（11）および第２パネル（12）の端部には、第１パネル（11）および第２パネル（12）と直交するように、ケーシング（10）の右側面部（71）と左側面部（72）とが設けられている。
【００３４】
上記第１パネル（11）には、その右寄りの中央部に排気口（14）が形成され、その左寄りの中央部に給気口（16）が形成されている。一方、上記第２パネル（12）には、その右端寄りの下部に室外側吸込口（13）が形成され、その左端寄りの下部に室内側吸込口（15）が形成されている。
【００３５】
ケーシング（10）の内部は、第１パネル（11）側に形成された下流側空間（91）と第２パネル（12）側に形成された上流側空間（92）とに区画されている。
【００３６】
ケーシング（10）の第１パネル（11）側に形成された下流側空間（91）は、左右に２つの空間に区画されている。右側の第１空間（41）は、排気口（14）を介して室外と連通しており、その内部に冷媒回路の圧縮機（101）と排気ファン（95）と第１熱源用熱交換器（103）とが設置されている。左側の第２空間（42）は、給気口（16）を介して室外と連通しており、その内部に給気ファン（96）と第２熱源用熱交換器（104）とが設置されている。
【００３７】
ケーシング（10）の第２パネル（12）側に形成された上流側空間（92）は、ケーシング（10）の右側面部（71）および左側面部（72）と平行に設けられる右側仕切板（20）と左側仕切板（30）とによって、左右に３つの空間に区画されている。
【００３８】
右側仕切板（20）と右側面部（71）の間の空間は、上側の右上部流路（65）と下側の右下部流路（66）とに仕切られている。右上部流路（65）は、第１空間（41）と連通する。右下部流路（66）は、室外側吸込口（13）と連通する一方、第１空間（41）から仕切られている。
【００３９】
左側仕切板（30）と左側面部（72）の間の空間は、上側の左上部流路（67）と下側の左下部流路（68）とに仕切られている。左上部流路（67）は、第２空間（42）と連通する。左下部流路（68）は、室内側吸込口（15）と連通する一方、第２空間（42）から仕切られている。
【００４０】
右側仕切板（20）と左側仕切板（30）の間の空間には、２つの吸着素子（81,82）が設置されている。これら吸着素子（81,82）は、所定の間隔をおいて前後に並んだ状態に配置されている。具体的には、手前側の第１パネル（11）寄りに第１吸着素子（81）が設けられ、奥側の第２パネル（12）寄りに第２吸着素子（82）が設けられている。
【００４１】
右側仕切板（20）と左側仕切板（30）の間の空間は、第１流路（51）、第２流路（52）、第１上部流路（53）、第１下部流路（54）、第２上部流路（55）、第２下部流路（56）および中央流路（57）に区画されている。
【００４２】
第１流路（51）は、第１吸着素子（81）の手前側に形成され、第１吸着素子（81）の冷却側通路（86）に連通している。第２流路（52）は、第２吸着素子（82）の奥側に形成され、第２吸着素子（82）の冷却側通路（86）に連通している。
【００４３】
第１上部流路（53）は、第１吸着素子（81）の上側に形成され、第１吸着素子（81）の調湿側通路（85）に連通している。第１下部流路（54）は、第１吸着素子（81）の下側に形成され、第１吸着素子（81）の調湿側通路（85）に連通している。第２上部流路（55）は、第２吸着素子（82）の上側に形成され、第２吸着素子（82）の調湿側通路（85）に連通している。第２下部流路（56）は、第２吸着素子（82）の下側に形成され、第２吸着素子（82）の調湿側通路（85）に連通している。
【００４４】
中央流路（57）は、第１吸着素子（81）と第２吸着素子（82）の間に形成され、両吸着素子（81,82）の冷却側通路（86）に連通している。この中央流路（57）には、加熱用熱交換器（102）がほぼ垂直に立った状態で設置されている。この加熱用熱交換器（102）は、中央流路（57）を流れる空気を冷媒回路の冷媒と熱交換させる。そして、加熱用熱交換器（102）は、凝縮器として機能し、空気を加熱するための加熱器を構成している。
【００４５】
中央流路（57）と第１下部流路（54）の間の仕切りには、第１シャッタ（61）が設けられている。一方、中央流路（57）と第２下部流路（56）の間の仕切りには、第２シャッタ（62）が設けられている。第１シャッタ（61）と第２シャッタ（62）とは、何れもが開閉自在に構成されている。
【００４６】
右側仕切板（20）には、第１右側開口（21）、第２右側開口（22）、第１右上開口（23）、第１右下開口（24）、第２右上開口（25）および第２右下開口（26）が形成されている。これらの開口（21,22,…）は、それぞれが開閉シャッタを備えて開閉自在に構成されている。
【００４７】
第１右側開口（21）は、右側仕切板（20）における手前側の下部に設けられ、第１流路（51）と右下部流路（66）を連通させる。第２右側開口（22）は、右側仕切板（20）における奥側の下部に設けられ、第２流路（52）と右下部流路（66）を連通させる。
【００４８】
第１右上開口（23）は、右側仕切板（20）のうち第１吸着素子（81）に隣接する部分の上部に設けられ、第１上部流路（53）と右上部流路（65）を連通させる。第１右下開口（24）は、右側仕切板（20）のうち第１吸着素子（81）に隣接する部分の下部に設けられ、第１下部流路（54）と右下部流路（66）を連通させる。
【００４９】
第２右上開口（25）は、右側仕切板（20）のうち第２吸着素子（82）に隣接する部分の上部に設けられ、第２上部流路（55）と右上部流路（65）を連通させる。第２右下開口（26）は、右側仕切板（20）のうち第２吸着素子（82）に隣接する部分の下部に設けられ、第２下部流路（56）と右下部流路（66）を連通させる。
【００５０】
左側仕切板（30）には、第１左側開口（31）、第２左側開口（32）、第１左上開口（33）、第１左下開口（34）、第２左上開口（35）および第２左下開口（36）が形成されている。これらの開口（31,32,…）は、それぞれが開閉シャッタを備えて開閉自在に構成されている。
【００５１】
第１左側開口（31）は、左側仕切板（30）における手前側の下部に設けられ、第１流路（51）と左下部流路（68）を連通させる。第２左側開口（32）は、左側仕切板（30）における奥側の下部に設けられ、第２流路（52）と左下部流路（68）を連通させる。
【００５２】
第１左上開口（33）は、左側仕切板（30）のうち第１吸着素子（81）に隣接する部分の上部に設けられ、第１上部流路（53）と左上部流路（67）を連通させる。第１左下開口（34）は、左側仕切板（30）のうち第１吸着素子（81）に隣接する部分の下部に設けられ、第１下部流路（54）と左下部流路（68）を連通させる。
【００５３】
第２左上開口（35）は、左側仕切板（30）のうち第２吸着素子（82）に隣接する部分の上部に設けられ、第２上部流路（55）と左上部流路（67）を連通させる。第２左下開口（36）は、左側仕切板（30）のうち第２吸着素子（82）に隣接する部分の下部に設けられ、第２下部流路（56）と左下部流路（68）を連通させる。
【００５４】
本実施形態の調湿装置には、湿度検出手段としての湿度センサ（2）が設けられている。この湿度センサ（2）は、室内空気（RA）の相対湿度を検出するためのものであって、ケーシング（10）における室内側吸込口（15）の近傍に設けられている。
【００５５】
調湿装置は、起動時において、室外空気（OA）の室内への供給量（給気量）を室内空気（RA）の室外への排出量（排気量）よりも多くする起動運転を行うように構成されている。起動運転では、給気ファン（96）の回転速度が排気ファン（95）の回転速度よりも高く設定され、室内へ供給される空気の風量の方が室内から取り込まれる空気の風量よりも多く設定される。
【００５６】
一方、調湿装置は、起動運転中に所定の基準条件が成立すると、起動運転から通常運転へと切り換わるように構成されている。具体的に、調湿装置は、起動運転中に湿度センサ（2）の検出値が所定の基準値に達すると、起動運転から通常運転へと切り換わるように構成されている。通常運転では、給気ファン（96）の回転速度が排気ファン（95）の回転速度と等しく設定され、室内へ供給される空気の風量と室内から取り込まれる空気の風量とが等しく設定される。
【００５７】
−運転動作−
上記調湿装置の運転動作について説明する。この調湿装置は、室内の換気を行うとともに、室内へ供給される空気を加湿する加湿動作と室内へ供給される空気を除湿する除湿動作とを切り換えて行う。また、この調湿装置は、第１動作と第２動作とを交互に繰り返すことによって加湿動作や除湿動作を行う。
【００５８】
《加湿動作》
図１，図２に示すように、加湿動作時において、給気ファン（96）を駆動すると、室外空気（OA）が室外側吸込口（13）を通じてケーシング（10）内の右下部流路（66）へ第２空気として取り込まれる。一方、排気ファン（95）を駆動すると、室内空気（RA）が室内側吸込口（15）を通じてケーシング（10）内の左下部流路（68）へ第１空気として取り込まれる。加湿動作時において、冷媒回路では、加熱用熱交換器（102）が凝縮器となり、第１熱源用熱交換器（103）が蒸発器となる一方、第２熱源用熱交換器（104）が休止している。
【００５９】
（第１動作）
加湿動作の第１動作について、図１，図６を参照しながら説明する。この第１動作では、第１吸着素子（81）についての吸着動作と、第２吸着素子（82）についての再生動作とが行われる。つまり、第１動作では、第２吸着素子（82）で空気が加湿され、第１吸着素子（81）の吸着剤が水分を吸着する。
【００６０】
図１に示すように、右側仕切板（20）では、第１右側開口（21）と第１右上開口（23）とが連通状態となり、残りの開口（22,24,25,26）が遮断状態となっている。左側仕切板（30）では、第１左下開口（34）と第２左上開口（35）とが連通状態となり、残りの開口（31,32,33,36）が遮断状態となっている。第１シャッタ（61）は閉鎖状態となり、第２シャッタ（62）は開口状態となっている。
【００６１】
第１空気は、左下部流路（68）から第１左下開口（34）を通って第１下部流路（54）へ流入する。一方、第２空気は、右下部流路（66）から第１右側開口（21）を通って第１流路（51）へ流入する。
【００６２】
図６にも示すように、第１下部流路（54）の第１空気は、第１吸着素子（81）の調湿側通路（85）へ流入する。この調湿側通路（85）を流れる間に、第１空気に含まれる水分が吸着剤に吸着される。第１吸着素子（81）で水分を奪われた第１空気は、第１上部流路（53）へ流入する。
【００６３】
一方、第１流路（51）の第２空気は、第１吸着素子（81）の冷却側通路（86）へ流入する。この冷却側通路（86）を流れる間に、第２空気は、調湿側通路（85）で水分が吸着剤に吸着される際に生じた吸着熱を吸熱する。吸着熱を奪った第２空気は、中央流路（57）へ流入して加熱用熱交換器（102）を通過する間に加熱される。その後、第２空気は、中央流路（57）から第２下部流路（56）へ流入する。
【００６４】
第１吸着素子（81）および加熱用熱交換器（102）で加熱された第２空気は、第２吸着素子（82）の調湿側通路（85）へ導入される。この調湿側通路（85）では、第２空気によって吸着剤が加熱され、吸着剤から水分が脱離する。第２吸着素子（82）で加湿された第２空気は、第２上部流路（55）へ流入する。
【００６５】
第２上部流路（55）へ流入した第２空気は、第２左上開口（35）を通って左上部流路（67）へ流入し、その後に第２空間（42）を通って給気口（16）から室内へ供給される。
【００６６】
一方、第１上部流路（53）へ流入した第１空気は、第１右上開口（23）を通って右上部流路（65）へ流入し、その後に第１空間（41）へ流入する。この第１空気は、第１熱源用熱交換器（103）で冷媒と熱交換し、その後に排気口（14）を通って室外へ排出される。
【００６７】
（第２動作）
加湿動作の第２動作について、図２，図７を参照しながら説明する。この第２動作では、第１動作時とは逆に、第２吸着素子（82）についての吸着動作と、第１吸着素子（81）についての再生動作とが行われる。つまり、この第２動作では、第１吸着素子（81）で空気が加湿され、第２吸着素子（82）の吸着剤が水分を吸着する。
【００６８】
図２に示すように、右側仕切板（20）では、第２右側開口（22）と第２右上開口（25）とが連通状態となり、残りの開口（21,23,24,26）が遮断状態となっている。左側仕切板（30）では、第１左上開口（33）と第２左下開口（36）とが連通状態となり、残りの開口（31,32,34,35）が遮断状態となっている。第１シャッタ（61）は開口状態となり、第２シャッタ（62）は閉鎖状態となっている。
【００６９】
第１空気は、左下部流路（68）から第２左下開口（36）を通って第２下部流路（56）へ流入する。一方、第２空気は、右下部流路（66）から第２右側開口（22）を通って第２流路（52）へ流入する。
【００７０】
図７にも示すように、第２下部流路（56）の第１空気は、第２吸着素子（82）の調湿側通路（85）へ流入する。この調湿側通路（85）を流れる間に、第１空気に含まれる水分が吸着剤に吸着される。第２吸着素子（82）で水分を奪われた第１空気は、第２上部流路（55）へ流入する。
【００７１】
一方、第２流路（52）の第２空気は、第２吸着素子（82）の冷却側通路（86）へ流入する。この冷却側通路（86）を流れる間に、第２空気は、調湿側通路（85）で水分が吸着剤に吸着される際に生じた吸着熱を吸熱する。吸着熱を奪った第２空気は、中央流路（57）へ流入して加熱用熱交換器（102）を通過する間に加熱される。その後、第２空気は、中央流路（57）から第１下部流路（54）へ流入する。
【００７２】
第２吸着素子（82）および加熱用熱交換器（102）で加熱された第２空気は、第１吸着素子（81）の調湿側通路（85）へ導入される。この調湿側通路（85）では、第２空気によって吸着剤が加熱され、吸着剤から水分が脱離する。第１吸着素子（81）で加湿された第２空気は、第１上部流路（53）へ流入する。
【００７３】
第１上部流路（53）へ流入した第２空気は、第１左上開口（33）を通って左上部流路（67）へ流入し、その後に第２空間（42）を通って給気口（16）から室内へ供給される。
【００７４】
一方、第２上部流路（55）へ流入した第１空気は、第２右上開口（25）を通って右上部流路（65）へ流入し、その後に第１空間（41）へ流入する。この第１空気は、第１熱源用熱交換器（103）で冷媒と熱交換し、その後に排気口（14）を通って室外へ排出される。
【００７５】
《除湿動作》
図３，図４に示すように、除湿動作時において、給気ファン（96）を駆動すると、室外空気（OA）が室外側吸込口（13）を通じてケーシング（10）内の右下部流路（66）へ第１空気として取り込まれる。一方、排気ファン（95）を駆動すると、室内空気（RA）が室内側吸込口（15）を通じてケーシング（10）内の左下部流路（68）へ第２空気として取り込まれる。除湿動作時において、冷媒回路では、加熱用熱交換器（102）が凝縮器となり、第２熱源用熱交換器（104）が蒸発器となる一方、第１熱源用熱交換器（103）が休止している。
【００７６】
（第１動作）
除湿動作の第１動作について、図３を参照しながら説明する。この第１動作では、第１吸着素子（81）についての吸着動作と、第２吸着素子（82）についての再生動作とが行われる。つまり、第１動作では、第１吸着素子（81）で空気が減湿されると同時に、第２吸着素子（82）の吸着剤が再生される。
【００７７】
図３に示すように、右側仕切板（20）では、第１右下開口（24）と第２右上開口（25）とが連通状態となり、残りの開口（21,22,23,26）が遮断状態となっている。左側仕切板（30）では、第１左側開口（31）と第１左上開口（33）とが連通状態となり、残りの開口（32,34,35,36）が遮断状態となっている。第１シャッタ（61）は閉鎖状態となり、第２シャッタ（62）は開口状態となっている。
【００７８】
第１空気は、右下部流路（66）から第１右下開口（24）を通って第１下部流路（54）へ流入する。一方、第２空気は、左下部流路（68）から第１左側開口（31）を通って第１流路（51）へ流入する。
【００７９】
第１下部流路（54）の第１空気は、第１吸着素子（81）の調湿側通路（85）へ流入する。この調湿側通路（85）を流れる間に、第１空気に含まれる水分が吸着剤に吸着される。第１吸着素子（81）で減湿された第１空気は、第１上部流路（53）へ流入する。
【００８０】
一方、第１流路（51）の第２空気は、第１吸着素子（81）の冷却側通路（86）へ流入する。この冷却側通路（86）を流れる間に、第２空気は、調湿側通路（85）で水分が吸着剤に吸着される際に生じた吸着熱を吸熱する。吸着熱を奪った第２空気は、中央流路（57）へ流入して加熱用熱交換器（102）を通過する間に加熱される。その後、第２空気は、中央流路（57）から第２下部流路（56）へ流入する。
【００８１】
第１吸着素子（81）および加熱用熱交換器（102）で加熱された第２空気は、第２吸着素子（82）の調湿側通路（85）へ導入される。この調湿側通路（85）では、第２空気によって吸着剤が加熱され、吸着剤から水分が脱離する。吸着剤から脱離した水分は、第２空気と共に第２上部流路（55）へ流入する。
【００８２】
第１上部流路（53）へ流入した減湿後の第１空気は、第１左上開口（33）を通って左上部流路（67）へ流入し、その後に第２空間（42）へ流入する。この第１空気は、第２熱源用熱交換器（104）で冷媒と熱交換して冷却され、その後に給気口（16）を通って室内へ供給される。
【００８３】
一方、第２上部流路（55）へ流入した第２空気は、第２右上開口（25）を通って右上部流路（65）へ流入し、その後に第１空間（41）を通って排気口（14）から室外へ排出される。
【００８４】
（第２動作）
除湿動作の第２動作について、図４を参照しながら説明する。この第２動作では、第１動作時とは逆に、第２吸着素子（82）についての吸着動作と、第１吸着素子（81）についての再生動作とが行われる。つまり、第２動作では、第２吸着素子（82）で空気が減湿されると同時に、第１吸着素子（81）の吸着剤が再生される。
【００８５】
図４に示すように、右側仕切板（20）では、第１右上開口（23）と第２右下開口（26）とが連通状態となり、残りの開口（21,22,24,25）が遮断状態となっている。左側仕切板（30）では、第２左側開口（32）と第２左上開口（35）とが連通状態となり、残りの開口（31,33,34,36）が遮断状態となっている。第１シャッタ（61）は開口状態となり、第２シャッタ（62）は閉鎖状態となっている。
【００８６】
第１空気は、右下部流路（66）から第２右下開口（26）を通って第２下部流路（56）へ流入する。一方、第２空気は、左下部流路（68）から第２左側開口（32）を通って第２流路（52）へ流入する。
【００８７】
第２下部流路（56）の第１空気は、第２吸着素子（82）の調湿側通路（85）へ流入する。この調湿側通路（85）を流れる間に、第１空気に含まれる水分が吸着剤に吸着される。第２吸着素子（82）で減湿された第１空気は、第２上部流路（55）へ流入する。
【００８８】
一方、第２流路（52）の第２空気は、第２吸着素子（82）の冷却側通路（86）へ流入する。この冷却側通路（86）を流れる間に、第２空気は、調湿側通路（85）で水分が吸着剤に吸着される際に生じた吸着熱を吸熱する。吸着熱を奪った第２空気は、中央流路（57）へ流入して加熱用熱交換器（102）を通過する間に加熱される。その後、第２空気は、中央流路（57）から第１下部流路（54）へ流入する。
【００８９】
第２吸着素子（82）および加熱用熱交換器（102）で加熱された第２空気は、第１吸着素子（81）の調湿側通路（85）へ導入される。この調湿側通路（85）では、第２空気によって吸着剤が加熱され、吸着剤から水分が脱離する。吸着剤から脱離した水分は、第２空気と共に第１上部流路（53）へ流入する。
【００９０】
第２上部流路（55）へ流入した減湿後の第１空気は、第２左上開口（35）を通って左上部流路（67）へ流入し、その後に第２空間（42）へ流入する。この第１空気は、第２熱源用熱交換器（104）で冷媒と熱交換して冷却され、その後に給気口（16）を通って室内へ供給される。
【００９１】
一方、第１上部流路（53）へ流入した第２空気は、第１右上開口（23）を通って右上部流路（65）へ流入し、その後に第１空間（41）を通って排気口（14）から室外へ排出される。
【００９２】
−起動時の運転制御−
《加湿動作》
上記調湿装置で加湿動作を行う際は、起動時に第２空気の室内への供給量（給気量）を第１空気の室外への排出量（排気量）よりも多く設定する起動運転が行われる。起動運転では、給気ファン（96）の回転速度が排気ファン（95）の回転速度よりも高く設定され、ケーシング（10）内に取り込まれる空気の風量は、第２空気の方が第１空気よりも多い。このため、起動運転中には、室内の圧力が室外の圧力よりも高くなり、室外から室内への室外空気（OA）の流入が防止される。また、起動運転では、第１空気の第２空気に対する風量比が所定の範囲に設定されている。この点について、図８を参照しながら説明する。
【００９３】
図８において、横軸は風量比、縦軸は加湿能力比を表す。風量比とは、給気量の排気量に対する風量比、即ち第１空気の第２空気に対する風量比である。加湿能力比とは、第１空気の風量と第２空気の風量とが等しい状態での第２空気に対する加湿量を基準値とした場合に、第２空気に対する加湿量をこの基準値との比で表したものである。
【００９４】
また、図８に示す太線は、本実施形態の調湿装置において外気条件を０℃／５０ＲＨ％とした場合の風量比と加湿能力比との関係を表している。同図に示すように、第１空気の風量と第２空気の風量とを等しく設定したときの加湿能力比は１００％である。一方、風量比が小さくなると、加湿能力比も小さくなる。第１空気の風量が第２空気の風量よりも少なくなると、吸着素子（81,82）に吸着される第１空気中の水分量が低下して第２空気に対する加湿量が低下するからである。
【００９５】
一方、図８に示す細線は、外気条件を０℃／５０ＲＨ％としたときに、調湿装置の起動時から室内空気（RA）が２０℃／４０ＲＨ％になるまでの経過時間が同じ値となる点を結んだ線を表している。また、経過時間比とは、従来の調湿装置における経過時間を基準値とした場合の経過時間を、この基準値に対する比で表したものである。例えば、経過時間比が１１１％の場合、風量比が９３％のときは加湿能力比が９４％である必要があり、経過時間比が８３％の場合、風量比が９０％のときは加湿能力比が９６％である必要がある。
【００９６】
また、太線で示すデータについて、風量比が概ね９０％以上のところでは、風量比が小さくなって加湿能力比が小さくなっても経過時間比が小さくなる。第２空気の風量を第１空気の風量よりも多く設定することで室内への室外空気（OA）の流入を防止できる効果が得られ、この効果が第２空気に対する加湿量の低下の影響を上回るからである。
【００９７】
一方、風量比が概ね９０％未満のところでは、風量比が小さくなって加湿能力比が小さくなるにつれ経過時間比が大きくなってゆく。第２空気の風量を第１空気の風量よりも多く設定することで室内への室外空気（OA）の流入を防止できる効果が得られるものの、第２空気に対する加湿量の低下の影響がこの効果を上回るからである。
【００９８】
つまり、風量比が小さすぎると、経過時間比がかえって大きくなり、従来の調湿装置における経過時間を超えるおそれがある。そこで、起動運転中において、給気ファン（96）の回転速度と排気ファン（95）の回転速度とは、風量比が８０％以上１００％未満となるように設定される。更に、給気ファン（96）の回転速度と排気ファン（95）の回転速度とは、風量比が８５％以上９５％以下となるように設定されるのが望ましく、風量比が９０％前後となるように設定されるのが最も望ましい。
【００９９】
一方、調湿装置の起動運転中に湿度センサ（2）の検出値が所定の基準値（ここでは、相対湿度４０％）に達すると、起動運転から通常運転へと切り換わる。通常運転では、給気ファン（96）の回転速度が排気ファン（95）の回転速度と等しく設定され、ケーシング（10）内には第２空気と等しい風量の第１空気が取り込まれる。
【０１００】
《除湿動作》
上記調湿装置で除湿動作を行う際は、起動時に第１空気の室内への供給量（給気量）を第２空気の室外への排出量（排気量）よりも多く設定する起動運転が行われる。起動運転では、給気ファン（96）の回転速度が排気ファン（95）の回転速度よりも高く設定され、ケーシング（10）内に取り込まれる空気の風量は、第１空気の方が第２空気よりも多い。このため、起動運転中には、室内の圧力が室外の圧力よりも高くなり、室外から室内への室外空気（OA）の流入が防止される。この起動運転では、第２空気の第１空気に対する風量比が所定の範囲に設定される。
【０１０１】
起動運転中において、除湿動作では、加湿動作と同様に給気ファン（96）の回転速度と排気ファン（95）の回転速度とが、風量比が８０％以上１００％未満となるように設定される。更に、給気ファン（96）の回転速度と排気ファン（95）の回転速度とは、風量比が８５％以上９５％以下となるように設定されるのが望ましく、風量比が９０％前後となるように設定されるのが最も望ましい。
【０１０２】
一方、調湿装置の起動運転中に湿度センサ（2）の検出値が所定の基準値（ここでは、相対湿度４７％）に達すると、起動運転から通常運転へと切り換わる。通常運転では、給気ファン（96）の回転速度が排気ファン（95）の回転速度と等しく設定され、ケーシング（10）内には第１空気と等しい風量の第２空気が取り込まれる。
【０１０３】
−実施形態１の効果−
本実施形態では、起動時に起動運転を行い、調湿手段（1）で湿度調節された後に室内へ供給される空気（SA）の流量が室内から室外へ排出される空気（EA）の流量よりも多く設定される。このため、調湿装置の起動運転中には、室内の圧力を室外の圧力よりも高くすることができ、室外から室内への室外空気（OA）の流入を防止することができる。従って、本実施形態によれば、室内の換気と湿度調節とを行う調湿装置において、室内空気（RA）の湿度が目標値に達するまでの時間を短縮して調湿能力を向上させることができる。
【０１０４】
また、本実施形態では、室内空気（RA）の相対湿度を検出する湿度センサ（2）の検出値が所定の基準値に達すると、起動運転から通常運転へと切り換わる。従って、本実施形態によれば、湿度センサ（2）によって精度良く室内の湿度調節を行うことができ、室内の快適性を保持することができる。
【０１０５】
−実施形態１の変形例１−
上記実施形態１の調湿装置において、調湿装置の構成を変更してもよい。ここでは、本変形例について、上記実施形態１と異なる点を説明する。
【０１０６】
本変形例の調湿装置には、室内空気（RA）の相対湿度を検出するための湿度センサに代えて、温度検出手段としての温度センサ（図示せず）が設けられている。この温度センサは、室内空気（RA）の温度を検出するためのものであって、ケーシング（10）における室内側吸込口（15）の近傍に設けられている。
【０１０７】
調湿装置では、ケーシング（10）内に取り込まれる室内空気（RA）の温度が温度センサにより検出される。また、調湿装置では、起動時に起動運転が行われる一方、起動運転中に所定の基準条件が成立すると、通常運転へと切り換わる。具体的に、起動運転中に温度センサの検出値が所定の基準値に達すると、起動運転から通常運転へと切り換わる。
【０１０８】
ここで、冬季において、室外空気（OA）の温度は変動してもその相対湿度は概ね８０％程度となる。また、調湿装置の加湿動作では、室内へ供給される空気（SA）への加湿量および加熱量は一定である。従って、ケーシング（10）内に取り込まれる室外空気（OA）の温度が低いとその絶対湿度も低く、室内へ供給される空気（SA）の絶対湿度が低くなる。そして、室外空気（OA）の温度が低いことから室内空気（RA）の温度は緩やかにしか上昇せず、室内へ供給される空気（SA）の絶対湿度が低いことから室内空気（RA）の相対湿度も緩やかにしか上昇してゆかない。
【０１０９】
一方、ケーシング（10）内に取り込まれる室外空気（OA）の温度が高いとその絶対湿度も高く、室内へ供給される空気（SA）の絶対湿度が高くなる。そして、室外空気（OA）の温度が高いことから室内空気（RA）の温度は速やかに上昇し、室内へ供給される空気（SA）の絶対湿度が高いことから室内空気（RA）の相対湿度も速やかに上昇してゆく。
【０１１０】
このように、室内空気（RA）の温度の上昇速度が高ければその相対湿度の上昇速度も高くなり、逆に室内空気（RA）の温度の上昇速度が低ければその相対湿度の上昇速度も低くなる。つまり、室内空気（RA）の温度と相対湿度には相関関係があり、両者は連動して変化する。よって、温度センサの検出値から室内空気（RA）の相対湿度を推測することができる。そこで、所定の基準値を室内空気（RA）の相対湿度が目標値（加湿動作時には４０％、除湿動作時には４７％）となる値に設定することにより、室内空気（RA）の相対湿度が目標値に達したところで起動運転から通常運転へと切り換えることができる。
【０１１１】
また、調湿装置にデータベースを設け、このデータベースで基準値を変更してもよい。上述のように、室外空気（OA）の温度が低いと室内へ供給される空気（SA）の温度が低く、室内空気（RA）の温度の上昇速度が低い。また、室外空気（OA）の温度が高いと室内へ供給される空気（SA）の温度が高く、室内空気（RA）の温度の上昇速度が高い。このため、室外空気（OA）、室内へ供給される空気（SA）および室内空気（RA）の温度データに基づいて基準値を設定するデータベースを調湿装置に設けておき、室外空気（OA）、室内へ供給される空気（SA）および室内空気（RA）の温度を温度センサで計測して基準値を設定することで、精度良く室内空気（RA）の相対湿度を推測することができる。
【０１１２】
本変形例では、室内空気（RA）の温度を検出する温度センサの検出値が所定の基準値に達すると、起動運転から通常運転へと切り換わる。上述のように、室内空気（RA）の温度と相対湿度には相関関係があるため、温度センサの検出値によって室内空気（RA）の相対湿度を推測することができる。従って、本変形例によれば、起動運転から通常運転へ切り換えるか否かの判断に温度センサを利用することができる。また、起動運転から通常運転へ切り換えるか否かの判断に温度センサを利用すると、湿度センサ（2）を利用する場合よりも部品コストを抑えることができる。
【０１１３】
−実施形態１の変形例２−
上記実施形態１の調湿装置において、調湿装置の構成を変更してもよい。ここでは、本変形例について、上記実施形態１と異なる点を説明する。
【０１１４】
本変形例の調湿装置では、室内空気（RA）の相対湿度を検出するための湿度センサ（2）に代えて、タイマー（図示せず）が設けられる。このタイマーは、調湿装置の起動時からの経過時間を計測するためのものである。
【０１１５】
上記調湿装置では、起動時に起動運転が行われる一方、起動運転中に所定の基準条件が成立すると、通常運転へと切り換わる。具体的に、調湿装置は、起動運転中にタイマーの計測値が所定の基準値に達すると、起動運転から通常運転へと切り換わる。
【０１１６】
ここで、予め様々な運転条件で試験を行い、調湿装置の起動時から室内空気（RA）の相対湿度が目標値（加湿動作時には４０％、除湿動作時には４７％）に達するまでの経過時間を計測しておけば、その試験で得られたデータに基づき、室内空気（RA）の相対湿度が目標値に達すると予想される起動時からの経過時間を基準値として設定できる。
【０１１７】
本変形例では、起動時からの経過時間を計測するタイマーの計測値が所定の基準値に達すると、起動運転から通常運転へと切り換わる。上述のように、予め試験を行って室内空気（RA）の相対湿度が目標値に達すると予想される起動時からの経過時間を基準値として設定すれば、タイマーの計測値によって室内空気（RA）の相対湿度を推測することができる。従って、本変形例によれば、起動運転から通常運転へ切り換えるか否かの判断にタイマーを利用することができる。
【０１１８】
《発明の実施形態２》
本発明の実施形態２は、上記実施形態１の調湿装置の構成を変更したものである。ここでは、本実施形態について、上記実施形態１と異なる点を説明する。
【０１１９】
図９に示すように、本実施形態の調湿装置では、冷媒回路の加熱用熱交換器（102）が、中央流路（57）にほぼ水平に寝かせられた状態で設置されている。加熱用熱交換器（102）は、その上面が第１吸着素子（81）および第２吸着素子（82）の下面とほぼ一致する高さに配置されている。また、加熱用熱交換器（102）の両側には、第１シャッタ（61）と第２シャッタ（62）とが設けられている。
【０１２０】
《発明の実施形態３》
本発明の実施形態３は、上記実施形態１の調湿装置の構成を変更したものである。ここでは、本実施形態について、上記実施形態１と異なる点を説明する。
【０１２１】
図１０〜１３に示すように、本実施形態の調湿装置には、第１シャッタ（61）および第２シャッタ（62）に加えて、第３シャッタ（63）および第４シャッタ（64）が設けられている。
【０１２２】
第３シャッタ（63）は、第１流路（51）と第１下部流路（54）との間を仕切るためのものである。第４シャッタ（64）は、第２流路（52）と第２下部流路（56）との間を仕切るためのものである。第３シャッタ（63）と第４シャッタ（64）とは、何れもが開閉自在に構成されている。
【０１２３】
本実施形態の調湿装置では、第１吸着素子（81）についての吸着動作と第２吸着素子（82）についての再生動作とを行う第１動作と、第２吸着素子（82）についての吸着動作と第１吸着素子（81）についての再生動作とを行う第２動作とが切り換えて行われる。尚、本実施形態の調湿装置は、第１空気および第２空気の流通経路を切り換えることによって加湿動作と除湿動作を行うが、ここでは加湿動作のみ説明し、除湿動作については説明を省略する。
【０１２４】
（第１動作）
図１０に示すように、第１動作では、第１、第３および第４シャッタ（61,63,64）が閉鎖状態となり、第２シャッタ（62）が開口状態となっている。
【０１２５】
第１吸着素子（81）の調湿側通路（85）へ流入した第１空気は、それに含まれる水分が吸着剤に吸着される。第１吸着素子（81）で水分を奪われた第１空気は、第１熱源用熱交換器（103）を通過後に、室外へ排出される。一方、第１吸着素子の（81）冷却側通路（86）へ流入した第２空気は、調湿側通路（85）で生じた吸着熱を吸熱し、加熱用熱交換器（102）で加熱された後に、第２シャッタ（62）を通って第２吸着素子（82）の調湿側通路（85）へ流入する。この調湿側通路（85）では、第２空気によって加熱された吸着剤から脱離した水分が第２空気に付与される。第２吸着素子（82）で加湿された第２空気は、第２熱源用熱交換器（104）を通過後に、室内へ供給される。
【０１２６】
一方、図１１に示すように、開閉されるシャッタを変更し、第２吸着素子（82）を加熱した後に再生することも可能である。この場合、第１、第２および第３シャッタ（61,62,63）が閉鎖状態となり、第４シャッタ（64）が開口状態となる。
【０１２７】
第１吸着素子の（81）冷却側通路（86）へ流入した第２空気は、調湿側通路（85）で生じた吸着熱を吸熱し、加熱用熱交換器（102）で加熱された後に、第２吸着素子（82）の冷却側通路（86）へ流入する。この冷却側通路（86）を通過した第２空気は、一旦第２流路（52）へ流出した後、第４シャッタ（64）を通って第２吸着素子（82）の調湿側通路（85）へ流入する。この調湿側通路（85）では、第２空気によって加熱された吸着剤から脱離した水分が第２空気に付与される。第２吸着素子（82）で加湿された第２空気は、第２熱源用熱交換器（104）を通過後に、室内へ供給される。
【０１２８】
（第２動作）
図１２に示すように、第２動作では、第２、第３および第４シャッタ（62,63,64）が閉鎖状態となり、第１シャッタ（61）が開口状態となっている。
【０１２９】
第２吸着素子（82）の調湿側通路（85）へ流入した第１空気は、それに含まれる水分が吸着剤に吸着される。第２吸着素子（82）で水分を奪われた第１空気は、第１熱源用熱交換器（103）を通過後に、室外へ排出される。一方、第２吸着素子の（82）冷却側通路（86）へ流入した第２空気は、調湿側通路（85）で生じた吸着熱を吸熱し、加熱用熱交換器（102）で加熱された後に、第１シャッタ（61）を通って第１吸着素子（81）の調湿側通路（85）へ流入する。この調湿側通路（85）では、第２空気によって加熱された吸着剤から脱離した水分が第２空気に付与される。第１吸着素子（81）で加湿された第２空気は、第２熱源用熱交換器（104）を通過後に、室内へ供給される。
【０１３０】
一方、図１３に示すように、開閉されるシャッタを変更し、第１吸着素子（81）を加熱した後に再生することも可能である。この場合、第１、第２および第４シャッタ（61,62,64）が閉鎖状態となり、第３シャッタ（63）が開口状態となる。
【０１３１】
第２吸着素子の（82）冷却側通路（86）へ流入した第２空気は、調湿側通路（85）で生じた吸着熱を吸熱し、加熱用熱交換器（102）で加熱された後に、第１吸着素子（81）の冷却側通路（86）へ流入する。この冷却側通路（86）を通過した第２空気は、一旦第１流路（51）へ流出した後、第３シャッタ（63）を通って第１吸着素子（81）の調湿側通路（85）へ流入する。この調湿側通路（85）では、第２空気によって加熱された吸着剤から脱離した水分が第２空気に付与される。第１吸着素子（81）で加湿された第２空気は、第２熱源用熱交換器（104）を通過後に、室内へ供給される。
【０１３２】
本実施形態によれば、再生側となる吸着素子（81,82）を加熱した後に再生する動作において、吸着素子（81,82）の調湿側通路（85）と冷却側通路（86）の両方を第２空気が通過する。従って、調湿側通路（85）のみへ第２空気を導入する場合に比べて吸着素子（81,82）の温度を上昇させることができ、吸着素子（81,82）を確実に再生することができる。
【０１３３】
−実施形態３の変形例−
上記実施形態３の調湿装置の構成を変更してもよい。ここでは、本変形例について、上記実施形態３と異なる点を説明する。
【０１３４】
上記実施形態３の調湿装置では、再生側となる吸着素子（81,82）を加熱した後に再生する動作において、第１シャッタ（61）および第２シャッタ（62）が常に閉鎖状態となっている。
【０１３５】
本変形例の調湿装置は、再生側となる吸着素子（81,82）において、この吸着素子（81,82）を加熱した後に再生する動作のみを行うように構成されている。そして、図１４に示すように、上記調湿装置には、第３シャッタ（63）および第４シャッタ（64）のみが設けられ、第１シャッタ（61）および第２シャッタ（62）の場所には、空気の流通を防止するための図示しない仕切板が設けられている。
【産業上の利用可能性】
【０１３６】
以上説明したように、本発明は、空気の換気と湿度調節とを行う調湿装置について有用である。
【図面の簡単な説明】
【０１３７】
【図１】実施形態１に係る調湿装置の構成および除湿動作時の第１動作における空気の流れを示す概略構成図である。
【図２】実施形態１に係る調湿装置の構成および除湿動作時の第２動作における空気の流れを示す概略構成図である。
【図３】実施形態１に係る調湿装置の構成および加湿動作時の第１動作における空気の流れを示す概略構成図である。
【図４】実施形態１に係る調湿装置の構成および加湿動作時の第２動作における空気の流れを示す概略構成図である。
【図５】実施形態１に係る調湿装置の吸着素子の構成を示す概略斜視図である。
【図６】実施形態１に係る調湿装置の構成および加湿動作時の第１動作における空気の流れを示す図である。
【図７】実施形態１に係る調湿装置の構成および加湿動作時の第２動作における空気の流れを示す図である。
【図８】風量比と加湿能力比の関係を示す図である。
【図９】実施形態２に係る調湿装置の構成および加湿動作時の第１動作における空気の流れを示す図である。
【図１０】実施形態３に係る調湿装置の構成および加湿動作時の第１動作における空気の流れを示す図である。
【図１１】実施形態３に係る調湿装置の構成および加湿動作時の第１動作における空気の流れを示す図である。
【図１２】実施形態３に係る調湿装置の構成および加湿動作時の第２動作における空気の流れを示す図である。
【図１３】実施形態３に係る調湿装置の構成および加湿動作時の第２動作における空気の流れを示す図である。
【図１４】実施形態３に係る調湿装置の構成および加湿動作時の第１動作における空気の流れを示す図である。
【符号の説明】
【０１３８】
（1）  調湿手段
（2）  湿度検出手段（湿度センサ）
（81,82）  吸着素子
（95）  排気ファン
（96）  給気ファン
【図１】
2005134060.tif 000003
【図２】
2005134060.tif 000004
【図３】
2005134060.tif 000005
【図４】
2005134060.tif 000006
【図５】
2005134060.tif 000007
【図６】
2005134060.tif 000008
【図７】
2005134060.tif 000009
【図８】
2005134060.tif 000010
【図９】
2005134060.tif 000011
【図１０】
2005134060.tif 000012
【図１１】
2005134060.tif 000013
【図１２】
2005134060.tif 000014
【図１３】
2005134060.tif 000015
【図１４】
2005134060.tif 000016